(57)【要約】      （修正有）【課題】入浴用車イスの背もたれから脚部に至るシート全面をマットで覆い、金属面の露出ならびに身体の挟み込み事故を防止すると同時に背もたれシートのチルト動作や脚部シートの回転動に支障を及ぼさないように工夫したマットを提供する。【解決手段】入浴用車イスの背もたれ、座面および脚部のシート上に敷設されるマットを、背もたれ用のマットＡと座面兼脚部マットＢの二体で形成すると共にいずれか一方のマットに舌片１Ａを、他方のマットに舌片を受嵌する窪み３Ｂを設け、舌片と窪みの嵌め合いによりジョイントして背もたれから脚部に至るシート全面をマットで覆うようにした。【選択図】図１
0003106432.tif 000002
【実用新案登録請求の範囲】
【請求項１】
入浴用の車イスのＦＲＰ製シート上に敷設されるマットを、背もたれ用マットと座面兼脚部用マットの二体とし、いずれか一方のマットに舌片を、他方のマットに該舌片を受嵌する窪みを設け、舌片と窪みの嵌め合いにより両マットをジョイントさせ、背もたれから脚部に至る車イスシートの全面を覆うように形成したことを特徴とする入浴用車イスのマット。
【請求項２】
請求項１記載の舌片において、背もたれシートのチルト動作に追従して舌片部分の基部が容易に屈撓出来るよう他部に比して薄肉に形成したことを特徴とする入浴用車イスのマット。
【請求項３】
請求項１記載の座面兼脚部用マットにおいて、座面から脚部へ移る部分の裏面に複数の半円状切欠き又は薄肉部を設け、脚部シートの回転動に追従して容易に屈曲出来るように形成したことを特徴とする入浴用車イスのマット。
【考案の詳細な説明】
【技術分野】
【０００１】
この考案は、座位姿勢を保持することが出来るものの、自力では入浴出来ない人の為の車イス式入浴装置や入浴リフト等で使用される入浴用車イスのマットに関するものである。
【背景技術】
【０００２】
従来、この種のマットは、入浴者の身体が直接接触する車イスの背もたれ部、座部および脚部に各々独立して敷設されている。こうしたマットは、背もたれ、座面及び脚部の各フレーム上に取り付けたＦＲＰ製シートの更に上面にマット止め具を用いて脱着可能に設置されるのが普通である。
【０００３】
又、上記車イスにおいては、背もたれ、座面および脚部を構成する金属製フレームをＦＲＰ製シートによって出来る限り覆い隠すように設計されているが、入浴者の乗降時，搬送時および入・出浴時に背もたれをチルトさせたり、脚部を垂直から水平位置へ跳ね上げたりする必要があるため、座部と背もたれならびに座部と脚部との間の連結部分における各シート間の間隙はかなり大きく採らざるを得ず、この結果上記隙間に金属部品が露呈し、外観上好ましくないばかりか、入浴者の身体の一部殊に臀部やふくらはぎが金属面へ押し付けられたり、場合によっては挟まれたりする事故の恐れがあった。
【考案の開示】
【考案が解決しようとする課題】
【０００４】
本考案は、上述した点に鑑み、車イスの背もたれから脚部に至るシート全面をマットで覆うも、背もたれのチルト動作ならびに脚部の回転動作等に何等支障を及ぼすことのない斬新且つユニークなマットを提供するものである。
【課題を解決するための手段】
【０００５】
本考案の請求項１記載の入浴用車イスのマットは、背もたれ用マットと座面兼脚部用の二体とし、いずれか一方のマットに舌片を、他方のマットに該舌片を受嵌する窪みを設け、舌片と窪みの嵌め合いにより両マットをジョイントさせ、背もたれから脚部に至る車イスシートの全面を覆うように形成したことを特徴とする。
【０００６】
本考案の請求項１記載の舌片は、背もたれシートのチルト動作に追従して舌片部分の基部が容易に屈撓出来るように他部に比して薄肉に形成したことを特徴とする。
【０００７】
本考案の請求項１記載の座部兼脚部用マットは、座面から脚部へ移る部分の裏面に複数の半円上の切欠き又は薄肉部を設け、脚部シートの回転動に追従して容易に屈曲出来るように形成したことを特徴とする。
【考案の効果】
【０００８】
上記、請求項１記載に係る入浴用車イスのマットによると、車イスの背もたれから脚部に至るシート全面が連続したマットで覆われるため、従来のように金属部品が露出して外観を損なうことがないばかりか身体の一部が金属面に押し付けられたり、挟まれたりする恐れは皆無となる。
【０００９】
請求項１記載の舌片部分は、薄肉に形成されているため、その基部が容易に屈撓し背もたれシートのチルト動作に何等支障を与えることがない。
【００１０】
請求項１記載の座部兼脚部マットによれば、座面から脚部へ移る裏面に半円上切欠き又は薄肉部を形成したため、脚部シートの回転動に何等支障を及ぼすことがない。
【考案を実施するための最良の形態】
【００１１】
以下、本考案を付図実施例に基づいて詳細に説明する。本考案に係る車イス用のマットは、背もたれ用Ａと座面兼脚部用Ｂの二体によって形成される。この両マットＡ，Ｂのサイズは、６００〜７００（Ｌ）×４００〜４５０（Ｗ）×１４〜１５（Ｔ）の範囲内にあって大略似たような大きさおよび厚さに成型されている。又、当然のことながら当該マットＡ，Ｂは耐久性・耐触性はもとよりクッション性・撥水性・感触性等の良好な特性を備えた素材例えばポリエチレン樹脂を用いた発泡体等から成型されているものである。本考案において、マットを二体にした理由は、一体品に比し金型を始めとする製造設備費やマット清掃時の取扱の便利さ等の面を考慮したためである。即ち背もたれから脚部に至るまでの一体型マットでは、長大でしかも複雑厄介な金型が必要とされ、その制作費は膨大となり到底実用化に耐えない。仮に一体型の金型を製作したとしても、大きすぎるマットのため毎日の入浴後、介助者によって行われるマット清掃作業は極めてやりずらいと思われるからである。
【００１２】
さて、上記背もたれ用マットＡは、その長手方向の一端において円形状の舌片１Ａが前方に突出して一体に形成されている。この舌片１Ａは、付図実施例では２ヶ所に設けれられているが２ヶ所に限るものではない。又、舌片１Ａ部分の厚さは他部の厚さの約半分程度で舌片１Ａを上下に動かすと、その基部２Ａが比較的容易に屈撓する厚さ（例えば７ｍｍ前後）に仕上げられている。
【００１３】
一方、座面兼脚部用マットＢには、上記舌片１Ａを受嵌する窪み３Ｂが側端裏面に形成されると共に座部Ｂ１から脚部Ｂ２へ移る部分の裏面に複数の半円状切欠き４Ｂを設けるか又は薄肉部を設けて容易に屈曲出来るように形成されている。又、このマットＢのほぼ中央に大きく明けられている穴５Ｂは臀部洗浄用の作業穴を示す。
【００１４】
尚、実際の両マットＡ，Ｂは、その左右両縁が互いに内方に向けて弯曲していて、入浴者の背中からふくらはぎに至るまでを包みこむように形成されると同時に、全体が人体の背中および臀部形状にマッチングした緩やかな連続した曲面形状に仕上げられている。
【００１５】
図２は、車イス（図示せず）の背もたれがチルトしておらず、又脚部も跳ね上げられていない状態即ち入浴者が椅座位の姿勢で車イスに座った場合の上記背もたれ用マットＡと座面兼脚部用マットＢのセット状態を示す。図で明らかなように両マットＡ，Ｂは基点Ｐを共通とする半径Ｒの連続する局面内で前記舌片１Ａと窪み３Ｂとの嵌めに合いよりジョイントしている。尚、この際ジョイント面Ｊに隙間が生じないよう両マットの当接面同志が弾接するよう予め設計されている。更に、舌片１Ａと窪み３Ｂの嵌め合いをテーパ−嵌合にすると比較的タイトなジョイントが望めるため好ましい結果が得られる。
【００１６】
斬る両マットＡ，Ｂは図４の如くマット止め具Ｆの弾力を利用してＦＲＰ製シートに脱着可能に装着されるもので、こうしたマット止め具は入浴中の浮力でマットが浮き上がらないよう適所に複数箇所設置される。
【００１７】
而して、背もたれ用マットＡおよび座面兼脚部用マットＢをマット止め具Ｆを介して各々ＦＲＰ製シート上に装着した後、上記窪み３Ｂを舌片１Ａにジグソーパズルを嵌め込む要領で押し込めば、両マットＡ，Ｂは誰にでも容易にジョイントされる。この結果、車イスの背もたれから脚部に至る全面がマットで覆われることになり、従来のように金属部品が露出していたり身体の一部が挟まれたりする恐れは皆無になる。又、車イスの背もたれをチルトさせる際には舌片１Ａの基部２Ａが、脚部を９０°近く回動させる際には半円上切欠き４Ｂ又は薄肉部が各々追従して屈撓又は屈曲するため、その操作に何等支障を及ぼすことがない。尚、上記実施例は背もたれ用マットＡに舌片１Ａを設け、座面兼脚部マットＢに窪み３Ｂを設置している例を示したが反対に舌片を座面兼脚部マットに、窪みを背もたれ用マットに設けても良い。
【図面の簡単な説明】
【００１８】
【図１】図１は本考案に係る入浴用車イスに使用されるマットの裏面から見た斜視図である。
【図２】図２は図１のマットのセット状態を示す縦断側面図である。
【図３】図２は図１のマットのセット状態を示す正面図である。
【図４】図１のマットのＦＲＰ製シートへの装着状態を示す縦断面図です。
【００１９】
１Ａ            舌片
２Ａ            基部
３Ｂ            窪み
４Ｂ            半円状切欠き
Ａ              背もたれ用マット
Ｂ              座面兼脚部用マット
Ｂ１            座部
Ｂ２            脚部
Ｆ              マット止め具
Ｊ              ジョイント面
【図１】
0003106432.tif 000003
【図２】
0003106432.tif 000004
【図３】
0003106432.tif 000005
【図４】
0003106432.tif 000006